(57)【要約】  音響ミラー上に設けられた体積音波によって作動する、基板上に構成された共振器のために、共振器内に形成可能な体積音波の基本モードを抑制することが提案されている。音響ミラーを適合することによって、音響ミラーに対して並列に振動モードを励振し、共振器用に利用することができるようになる。
2008507869.tif 000002
【特許請求の範囲】
【請求項１】
体積音波で作動する共振器において、音響ミラー（ＡＳ）、第１の電極（Ｅ１）、圧電層（ＰＳ１）、第２の電極（Ｅ２）から形成された基板（Ｓ）上の層構造を有しており、共振器内に形成可能な体積音波の基本モードを抑制することを特徴とする共振器。
【請求項２】
音響ミラー（ＡＳ）は、ミラー層（ＺＨ／ＺＬ）の組合せを有しており、該ミラー層（ＺＨ／ＺＬ）の層は、基本モードの周波数で反射が最少であり、それに対して、高次のモードの周波数では反射が最大であるような厚みに調整されている請求項１記載の共振器。
【請求項３】
少なくとも１つのミラー層（ＺＨ／ＺＬ）の厚みは、基本モードでの共振器の振動を支持する理想的なミラーに対して小さく形成されている請求項２記載の共振器。
【請求項４】
少なくとも１つの電極層（Ｅ１，Ｅ２）の厚みは、専ら基本モードで振動する共振器に対して大きく形成されている請求項２又は３記載の共振器。
【請求項５】
共振器の極位置と零位置との間の間隔を大きくする受動網（Ｌ）が接続されている請求項１から４迄の何れか１記載の共振器。
【請求項６】
圧電層（ＰＳ）は、ＰＺＴ（ジルコン酸チタン酸鉛）材料を有している請求項１から５迄の何れか１記載の共振器。
【請求項７】
１つ以上の周波数で有意義に振動する請求項１から６迄の何れか１記載の共振器。
【請求項８】
第２の電極（Ｅ１）の上側に、結合層（ＫＳ）が設けられ、当該結合層（ＫＳ）の上側に、第３の電極（Ｅ３）、第２の圧電層（ＰＳ）及び第４の電極（Ｅ４）を備えた別の共振器が設けられている請求項１から７迄の何れか１記載の共振器。
【請求項９】
結合層（ＫＳ）は、交互に高い音響インピーダンスのミラー層（ＺＨ）と低い音響インピーダンスのミラー層（ＺＬ）からなる層列を有している請求項８記載の共振器。
【請求項１０】
結合層（ＫＳ）は、低い音響インピーダンスの一体的な層である請求項８記載の共振器。
【請求項１１】
ミラー（ＡＳ）が最大に反射する当該ミラー（ＡＳ）のストップバンド(Stopband)は、共振器の基本モードの上側の所定周波数に選定されている請求項１０記載の共振器。
【請求項１２】
同じタイプの別の共振器と共に１つのフィルタに接続されている請求項１から１１迄の何れか１記載の共振器。
【請求項１３】
同じタイプの別の共振器と共に１つのデュプレクサに接続されている請求項１から１１迄の何れか１記載の共振器。
【発明の詳細な説明】
【技術分野】
【０００１】
本発明は、体積音波によって作動する共振器（またはFBAR 薄膜バルク音波共振器、これはＢＡＷ共振器：バルク・アコースチック・ウェイブ・レゾネータ：Bulk Acoustic Wave Resonatorとも称する）に関する。
【０００２】
体積音波により作動する共振器は圧電層を有しており、この層は２つの金属層（電極）の間に配置されている。１つだけの圧電層の代わりに、１つの層列を利用してもよい。これらの層は１つの基板上に上下に重畳されて堆積され、共振器となるよう構造化され、それらは電気的に互いに接続され、いっしょに合わせて、例えば、フィルタ回路を構成することができる。各電極乃至各電極の重畳面によって形成される共振器面は、活性領域とも呼ばれる。共振周波数が０．１〜１０ＧＨｚの周波数領域内に位置することがあるＢＡＷ共振器の圧電層の厚みは、たいてい、約０．１〜１０マイクロメータである。
【０００３】
電界をＢＡＷ共振器の各電極に層装置に対して垂直方向に印加した場合、ＢＡＷ共振器の圧電層内で、原子が電界方向に偏向することによって、機械的な応力（材料の回転又は軸方向の圧縮（Stauchung））が生起される。原子は、（圧電層上の垂直方向のｃ軸で）主として垂直方向に偏向する。
【０００４】
ＢＡＷ共振器には、音響ミラーを設けることができ、この音響ミラーは、有利には、支持体基板とＢＡＷ共振器との間に設けられている。  この場合、音響ミラーにおいてそれぞれ高い音響インピーダンスと低い音響インピーダンスをもつ層が交互に配置されており、それらの層の層厚は（個々の材料中の音波の伝播速度に関して）主音響モードのほぼ４分の１波長となる。したがって音響ミラーは１つもしくは複数の界面をもっており、その界面は共振周波数のときに音波を共振器に戻すよう反射し、支持体基板方向に波が伝播するのを阻止する。
【０００５】
圧電層の厚みにより、ＳＡＷ共振器の限界周波数が決まる。この限界周波数は、第１高調波が、垂直方向縦音響の体積音波である主モードの共振周波数である。厚みｄの圧電層内での主モード（垂直方向縦音響波の第１高調波）の伝搬時間は、２L ／ｖL （＝垂直方向音響波の伝搬速度）である。その際、主モードの周波数は、fL1≒VL/2dである。
【０００６】
FBAR共振器は、バンドパス高周波フィルタの製造のために使用することができ、例えば、移動通信局の端末装置内に使用することができる。発振器内の周波数測定モード素子としても、センサ用にも、この共振器を使用することができる。
【０００７】
ＦＢＡＲフィルタは、技術的な限界により、表面波フィルタ（ＳＡＷフィルタ）を製造時に使用することができないアプリケーションで益々用いられている。ＳＡＷフィルタでは、２次元リソグラフィによって、フィルタ構造が形成される必要があるが、FＢＡＲフィルタでは、使用されている各層の層厚だけによって、周波数が決められる。これは、２Ｄ構造化よりも著しく精確且つ簡単に制御することができる。ＳＡＷフィルタでは、現時点で技術的に形成することができる上側限界は、約５ＧＨｚであり、ＦＢＡＲ技術では、目下のところ、上側限界は、約１０ＧＨｚのところにあると見なせる。しかし、例えば、衛星受信機では、１０ＧＨｚ〜１２ＧＨｚのフィルタ用途がある。この周波数領域は、現在のところ、誘電体共振器が使用されているＤＲＯ技術をベースにしたフィルタによってカバーされている。この技術の欠点は、高いコストを生じる点にある。
【０００８】
１０ＧＨｚ以上の領域用のＦＢＡＲフィルタも共振器も公知であるが、これらは、コスト高な技術である故に量産には適しておらず、依然として実験室での研究段階である。
【０００９】
従って、本発明の課題は、コスト上有利に製造することができ、１０ＧＨｚ以上迄もの高い周波数用にも使用可能な、体積音波で作動する共振器を提供することにある。
【００１０】
本発明によればこの課題は、請求項１の特徴を備えた共振器によって解決される。つまり、音響ミラー、第１の電極、圧電層、第２の電極から形成された基板上の層構造を有しており、共振器内に形成可能な体積音波の基本モードを抑制することにより解決される。従属請求項には本発明の有利な実施形態が示されている。
【００１１】
本発明の基本的な技術思想は、ＦＢＡＲ共振器の基本モードを抑制し、有利に、高次のモードを励起し、共振器用に利用することにある。
【００１２】
ＦＢＡＲ共振器での高次の振動モードは知られているが、これまで、専ら障害があるものと見なされてきた。従って、一般的に、共振器の全音響エネルギを基本モードに保持するために、障害となる高次のモードをできる限り良好に抑制しようと試み続けられてきた。それに対して、本発明は、共振器内に形成可能な体積音波の基本モードを抑制する共振器を提供するものである。従って、基本モードで共振周波数を測定するために基準となる圧電層の所与の厚みで、基本モードの共振周波数の複数倍である共振周波数を有している共振器が得られる。その際、高次のモードの周波数位置は、基本モードの整数倍として得られるのではなく、非整数ファクタ、例えば、１／６，  ２．４，  ３．１５等でも得られる。従って、技術的な問題を被らずに（さもないと、圧電層の、周波数を特定する層厚が更に低減してしまう）、比較的高い周波数が得られる。本発明によると、共振器は、更に公知の最高周波数の共振器とは異なり、製造時に技術的に一層確実に制御可能(beherrschbar)である。
【００１３】
本発明の共振器は、基板上に、音響ミラー、第１の電極、圧電層及び第２の電極を有する層構造を有している。基本モードは、そのような共振器では、例えば、音響ミラーを変えるようにして抑制することができる。本発明の共振器は、異なった音響インピーダンスの一連のミラー層を有しており、音響波を反射するために必要な境界面が利用される。各ミラー層の層厚に依存して、反射された音響波を構成的に重畳する際、ストップバンドが得られ、このストップバンドにより、ミラーが最大反射を示す。
【００１４】
本発明によると、このストップバンドは、音響ミラーの反射が、基本モードの周波数で最少であり、高次の高調波モードの周波数で最大であるように調整されている。基本モードを第１高調波振動と呼ぶと、本発明によると、高次のモードを励起することができ、例えば、第３、第５及び第７の高調波振動（全ての振動モードのモード数Ｎ＞２）を励起することができる。モード数Ｎ≧５の共振器内では、高次のモードの励起は、非常に弱くしか形成されないので、高次のモードを抑制するために、別の手段は必要ない。従って、基本モードの抑制の際、主として、第３高調波モードが励起される。
【００１５】
基本モードを有効に抑制するために、本発明の共振器では、ミラーが、当該ミラーのストップバンドが、基本モードの周波数の上側に位置しているように形成されている。これは、簡単に、各個別ミラー層の各層厚を低減することによって行われる。その際、音響ミラーのストップバンドが高次モードの共振周波数の方向にシフトされる程度に、各ミラー層の各層厚を低減することはできない点に注意すべきである。このことは、層厚を変えることによって、共振器構造の全システムが損なわれ、付加的に更に整合を行う必要がある点に関連している。これは、例えば、各電極層の各厚みを変える際にも生じることがある。その際、常識的基準として、相変わらず、所与の波長λの際に、各ミラー層の厚みが各々約λ／４である場合に、音響ミラーは最大反射を達成するとされている。そのように調整されたミラーによると、基本モードの共振周波数の上側の窓内で最大反射が得られるようになる。この窓は、高次モードを確実に検出し、本発明により適合化された各ミラー層によって励起もされるのに十分なサイズである。
【００１６】
本発明の１実施例では、共振器の音響ミラーは、２つの共振をほぼ同じ強さで励振し、乃至、共振器を同時に２つのモードで振動することができるように適合化されている。これは、例えば、ほぼ基本モードで振動する従来技術の共振器の電極層の厚みを、ファクタｎ＞２だけ高めるようにして達成することができる。この手段は、２次モードを優先させて、基本モードの他に２次モードを同等に励起するようにするのに十分である。
【００１７】
高次モードの周波数が基本モードの周波数の整数倍でない場合には、そのような、２つの共振器周波数で振動する共振器は、有利には、種々の用途用に使用することができる。非整数の差にすることによって、共振器の両共振周波数を、場合によって生起する高調波と、基本モードの別の技術的なアーチファクトからはっきりと区別することができるようになる。２つの共振周波数を持った共振器は、例えば、外部パラメータが、両共振の一方を優先乃至抑制するように共振器に作用するようなセンサ用途で使用することができる。その際、両共振の共振強度を単に比較することによって、外部パラメータに対応付けることができる、センサの測定値が求められる。
【００１８】
本発明の別の実施例を用いると、共振器の励振を軽減することができるようになる。本発明の共振器を直列インダクタンスに外部接続することによって、共振器の極位置と零位置との間の間隔を拡大することができるようになる。この作用は、励起可能な全ての振動モードに同じ程度に作用し、その際、本発明によると、基本モードが抑制され、その結果、直列インダクタンスと接続された本発明の共振器は、高次モードで改善された振動を示す。これは、簡単に、直列インダクタンスと接続された共振器が、共振点で１８０°の最大位相変化にほぼ相応する、著しく改善された位相特性を示すような、位相の特性から分かる。これは、殊に、本発明の共振器では有利である。と言うのは、高次モードのＱはどうしても低く、従って、高次モードで振動が劣化してしまうからである。インダクタンスを直列接続すると、この点が改善される。
【００１９】
圧電層の材料として、ＰＺＴ材料（ジルコン酸チタン酸鉛）を使用すると、同様の効果を達成することができる。ここでの、この材料特性効果は、付加的に共振器を受動網、殊に、直列インダクタンスに直列接続することによって強化することができる。両手段のいずれでも、高次モードの励起、従って、高次モードのＱも改善される。
【００２０】
本発明の共振器は、積層共振器又はＣＲＦ(カップルド・レゾネータ・フィルタ：Coupled-Resonator-Filter)装置又はＳＣＦ(スタックド・レゾネータ・フィルタ：Stacked Crystal Filter)として構成することができる。その際、従来技術の共振器の上側に、別の共振器を、それらの間に結合層系を接続して構成することができる。従って、第１の共振器の第２の電極の上側に、結合層系が設けられ、第１の共振器の第２の電極の下側に、第３の電極、第２の圧電層及び第４の電極が設けられている。
【００２１】
結合層系は、積層内に上下に重畳して設けられた第１の共振器と第２の共振器との間の音響結合の調整のために使われる。結合層系は、種々の層を連続して形成してもよく、例えば、交互に高インピーダンスと低インピーダンスの層を連続して形成してもよい。しかし、結合層系を低インピーダンスの一体的な層として形成してもよく、例えば、比較的薄いＢＣＢ層（ベンゾ−シクロ−ブタン)の形式で形成してもよい。一体的な「結合層系」は、別の低インピーダンス材料と一緒に形成してもよく、場合によっては、有機材料から選択してもよい。
【００２２】
以下では、本発明を実施例および付属の図面に基づき詳細に説明する。図は、本発明を理解するためのものにすぎず、したがって略図でしかなく、縮尺通りではない。図からは、絶対的な尺度も相対的な尺度も分からない。同一部分または同機能の部分は、同一の参照記号によって示されている。
【００２３】
図１Ａは、公知の共振器の横断略図を示し、
図１Ｂは、第１のポートＰ１と第２のポートＰ２との間で、共振器を作動することができる可能な回路接続を示し、
図２は、公知の共振器のアドミッタンスの特性を示し、
図３は、本発明の第１の共振器の層構造を示し、
図４は、本発明の共振器のアドミッタンスの特性を示し、
図５は、本発明の音響ミラーの共振スペクトルを示し、
図６は、本発明の別の共振器の横断略図を示し、
図７は、この共振器でのアドミッタンスの経過特性を示し、図８は、共振器の可能な接続回路を示し、
図９は、インダクタンスが、位相の経過特性に及ぼす作用を示し、
図１０は、第３の実施例でのアドミッタンス及び位相の経過特性を示し、
図１１は、ＣＲＦフィルタの層構造を示す。
【００２４】
図１は、層構造の横方向略図を用いて、公知のＳＭＲタイプ（ミラータイプ、ソリダリ・マウンテッド・レゾネータ：Solidly Mounted Resonator）の共振器並びに作動中の共振器の可能な接続を示す。
【００２５】
基板Ｓとして、ここでは、例えば、シリコンが使われる。音響ミラーは、ここでは、酸化層ＯＳ上に４つの層を有しており、その際、低インピーダンス層ＺＬとして、ＳｉＯ２層が使用され、高インピーダンス層ＺＨとして、タングステン層が使用されている。 
第１の電極Ｅ１は、アルミニウム製であり、圧電層ＰＳは、例えば、アルミニウム窒化物製であり、第２の電極Ｅ２は、モリブデン製である。
【００２６】
図１Ｂは、第１のポートＰ１と第２のポートＰ２との間で共振器を作動することができる可能な回路を示す。各ポートＰの各々第２の端子は、アースに接続されている。
【００２７】
図２は、この共振器の基本モードを当該共振器のアドミッタンス曲線Ａを用いて示し、このアドミッタンス曲線Ａは、図１Ｂに示されているような回路で決定され、その際、共振器は、空気に対して振動する。周波数に関するアドミッタンスＡの経過特性から、約２０００ＭＨｚのところの曲線の零位置に共振周波数があることが分かる。約２０４５ＭＨｚのところに、反共振周波数、つまり、最大アドミッタンスの位置に相応する極位置がある。図示された両曲線は、異なった基本面を有する共振器に対して特定され、その際、共振及び反共振が一層鋭く形成される。
【００２８】
図２Ｂは、図２Ａと同じ図をもっと粗な尺度で示す。２ＧＨｚでの強い共振の他に、アドミッタンス曲線Ａには、最少ではあるが、未だ可視の高次のモードがあることが分かり、この高次のモードは、図に矢印で指示されており、ここでは、約３．２ＧＨｚ，４．８ＧＨｚ及び６．３ＧＨｚのところにある。３ＧＨｚのところに位置している共振モードは、ミラーモードとして識別することができ、このミラーモードは、ミラーの共振効果に基づいて生起する。高次のモードは、有意義に抑制され、基本モードの周波数に対する数字で表した比は、１．００，１．６０，２．４０乃至３．１５等であることが分かる。従って、そのような公知の共振器は、専ら、基本モードで作動するためにのみ適しており、最適化されている。共振器の音響ミラーは、当該音響ミラーが、基本モードの共振周波数で最大反射を示すように調整されている。
【００２９】
図３には、横断面略図を用いて、本発明の第１の実施例の層構造が示されている。本発明の共振器は、図１の公知の共振器と同じ個数の層を有しており、本発明の共振器は、単に層厚に関してしか変えられていない。付加的に、一層良好に適合するために、第２の電極Ｅ２は、アルミニウムから構成されており、層厚が低減されている。このシステムに対して、図１の第１の実施例の音響ミラーが選択されると、共振器は、当該共振器の基本モードで、約２ＧＨｚの周波数で振動する。本発明によると、全てのミラー層は、当該ミラー層の厚みに関してファクタ４によって除算されている。従って、約６．１ＧＨｚのところに位置している高い振動モードが優先され、他方、それと同時に、約２ＧＨｚのところの基本モードが良好に抑制される。この実施例は、シリコン製の基板Ｓ及び第一の酸化層ＯＳ上に形成される。更に、繰り返し交互に高インピーダンス層ＺＨと低インピーダンス層ＺＬが設けられている。
【００３０】
図４には、この本発明の共振器のインピーダンスＡ（図４Ａ）と位相Ｐ（図４Ｂ）の特性が示されている。共振器は、約６．１ＧＨｚのところに特徴的な振動特性を有しており、この振動の位相特性は、図４Ｂによると、１８０°では全くない良好な位相変化を示す。基本モードの共振周波数では、ほんの僅かな位相変化しか観測されないので、本発明の共振器は、主に当該共振器の高次のモード、ここでは、第３の高調波モードで振動することが図から明らかである。従って、最適化されていない実施例では、所期のような高次のモードを励起し、且つ、基本モードを殆ど完全に抑制することができることが分かる。
【００３１】
本発明の機能にとって重要なのは、ミラーの変化である。図５には、図３の実施例に示されているミラーの反射特性ＲＮが示されており、この反射特性では、全てのミラー層が、基本モードに同調された音響ミラーに対してファクタ４．１だけ低減されている。ミラーの相対反射度が周波数に対して図示されている。それに対して、比較のために、相応の公知の、基本モードに同調された（それ以外は同じ構造を有している）音響ミラーの反射特性ＲＡが図示されている。
【００３２】
最適な本発明のミラーは、約２ＧＨｚの基本モードの周波数のところに零位置を有しており、この零位置で、基本モードは最大減衰され、従って、ミラーは、この零位置で波動を透過する。図５に、ミラーの反射特性ＲＮによって示された、未だあるミラーの歪に基づいて、未だ最適化されていないミラーは、約２ＧＨｚの基本モードの周波数で、完全には消失していない反射度を示す。高い周波数では、何れにせよ、このような、最適化されていないミラーでも、殆ど理想的に反射する要素として機能する。従って、高次の、全てのモードは、原理的に伝搬することができる。６ＧＨｚを中心にした領域で、ミラーは、最大反射値１．０を有しており、その結果、ここでは、そこに生じる第３高調波モードが最大励起されるようになる。図４を用いると、ミラースペクトルにより、高次のモードが励起され得るようになるが、高次のモードは励起されず、その結果、高次のモードを抑制するために、本発明の共振器構造に別の手段を本発明の共振器構造に設ける必要はない。
【００３３】
反射中心の精確な位置、つまり、ミラーが最適に反射する箇所は、各電極Eの厚みにも依存していることが一般に分かっている。従って、所与の基本モードで反射する公知のミラーでは、高次のモードで最適に反射するミラーを、一般的に、専ら、各々の周波数の比で相互にミラー層を低減することによって設けることができない。寧ろ、簡単には示すことができない別のファクタを考慮するとよい。しかし、原理的には、ミラーのストップバンド(Stopband)を基本モードの上側に設けることは、いつでも可能であり、その際、たいてい、所望の目的、つまり、基本モードを抑制し、且つ、高次のモードの最大反射を充足する反射特性が得られる。
【００３４】
図６は本発明の別の実施例を示す。異なった２つの周波数、つまり、異なった２つのモードで、ほぼ同じ強度の共振を示す共振器用の層構造が、横断面略図を用いて図示されている。この実施例でも、図１に図示された共振器と同様に、約２ＧＨｚのところに位置している基本モードに最適化されている共振器が用いられている。特に、第１の電極Ｅ１の層厚を変えることによって、ここに図示した構造が得られる。図１に対して、ここでは、上側の電極Ｅ２はアルミニウム製であり、層厚は圧電層にほぼ適合されている。各層厚は、詳細には以下の通りである：OS = 533 nm, ZH1 = 638 nm, ZL1 = 641 m, ZH2 = 639 nm, 2L2 = 655 um, El = 1000 nm, PS = 1885 nm 及び E2 = 150 nmである。
【００３５】
図７は、この共振器の共振特性を、インピーダンス曲線Ａ（図７Ａ）及び位相経過特性Ｐ（図７Ｂ）を用いて示す。約１７００ＭＨｚでの第１モードの他に、約２７５０ＭＨｚでの第２高調波も、有意義に励起されることがよく分かる。従って、２つのモードでほぼ同じ強さで振動する共振器が形成される。
【００３６】
図８は、本発明の共振器Ｒを外部の各回路要素に接続することができることを示す。共振器と２つの直列インダクタンスＬ１，Ｌ２との直列接続が図示されている。その際、共振器は、２ゲート共振器としてアースに接続されている。この外部回路要素Ｌ１，Ｌ２を用いて、極／零位置間隔を拡大することができる。
【００３７】
図９Ａ及び９Ｂは、このことを、相応のアドミッタンス曲線乃至相応に接続された共振器の位相特性を用いて示しており、その際、共振器として、図３に記載された層構造が使用されている。
【００３８】
図９Ａは、図８の実施例の通過曲線Ｎを示し、この通過曲線Ｎが、記入された曲線Ａにより、外部接続要素がない、図３の共振器の既述の特性に対比される。極位置は、殆ど変わらないが、零位置は、一層低い周波数の方に変化する。これにより、極／零位置間隔を拡大することができるようになる。比較的高いバンド幅に相応するが、Ｑ値の低さにも相応する、このような比較的大きな間隔により、共振器を一層良好に振動することができる。このことは、本発明の共振器の位相特性が示されている図９Ｂを用いて分かる。外部接続された共振器の位相変化は、外部接続されていない共振器（図３の実施例の共振器）の位相変化よりもかなり強く形成される。
【００３９】
図１０Ａ／１０Ｂは、ＰＺＴ（ジルコン酸チタン酸鉛）製の圧電層が形成される本発明の別の共振器の通過特性Ａと位相特性Ｐを示す。この材料は、従来の実施例で使用されているアルミニウム窒化物よりもかなり大きな極／零点間隔を有しており、その結果、高次のモードも、比較的高い極／零点間隔を有している。殊に、図１０Ｂの位相特性が読み出し可能な、この例でも、ＰＺＴを用いて、高次のモードの、良好に形成された位相切り換えを達成することができる。
【００４０】
図１１に示された別の実施例の、ＣＲＦフィルタ（カップルド・レゾネータ・フィルタ：Ｃｏｕｐｌｅｄ  Ｒｅｓｏｎａｔｏｒ  Ｆｉｌｔｅｒ）として構成された共振器の層構造は、ほぼ、上下に重畳して形成された２つの共振器Ｒ１／Ｒ２から形成されている。下側の共振器Ｒ１は、これまでの実施例と同様に、交互に高い音響インピーダンスを有する各ミラー層ＺＨと、低い音響インピーダンスを有する各ミラー層ＺＬとからなる音響ミラーＡＳ上に形成されており、当該の音響ミラーＡＳ上に、結合層系ＫＳとして、ＳｉＯ２層ＫＳ１，ＫＳ３，ＫＳ５及びアルミニウム窒化物層ＫＳ２，ＫＳ４との各層列が交互に形成されている。続いて、乃至、その上に、第３の電極Ｅ３、第２の圧電層ＰＳ２及び第４の電極Ｅ４を有する第２の共振器が形成されている。音響ミラーは、図３及び６に図示された実施例に相応して形成することができるが、この実施例では、残りの各層は、以下の各層厚を有している：E1(Al, 174 nm) ; PS1(AlN/ 2541 nm) , E2(Al, 174 nm) / KS1(SiO2, 800 nm) , KS2(AlN, 1531 nm) , KS3(SI02, 408 nm) ; KS4 (AlN, 1531 nm) , KS5(SiO2, 800 nm) , E3(Al, 174 nm) , PS2 (AlN, 2541 nm) , E4(Al. 174 um)
上述では、個別の共振器として考察してきたが、ここでは、上下に重畳して形成された２つの共振器と、当該２つの共振器の間に形成された結合層系ＫＳによって完全なフィルタが構成されている。ポート１は、両端子１及び２によって形成されており、それに対して、ポート２は、各々電極に接続された両端子３及び４によって形成されている。このフィルタは、高次のモードの共振周波数に相応するパスバンドを有している。音響ミラーの相応の変更によって抑制されるフィルタの本来の基本モードでは、高い減衰を達成することができる。この共振器フィルタの別の変形実施例は、結合層系ＫＳが、個別の結合層系、例えば、１７５ｎｍのＢＣＢ層によって代替されている点にある。それ以外の点では同じままの各層厚及び各層材料では、この実施例を用いても、高次のモードの領域内にパスバンドを有するフィルタ特性が達成される。
【００４１】
これまで本発明をごく僅かな実施形態を参照しながら説明してきたけれども、本発明はそれらの実施形態に制限されるものではない。基本モードを最適に抑制するために、各層厚を更に変えて、最適化することは、本発明の範囲内である。ミラー層、電極層及び圧電層の各材料が変えられた場合にも、それに相応して各層厚も適合化する必要がある。一度最適化された系では、どんな変更でも系全体が損なわれるので、個別層の変更後、たいてい、別の各層で、僅かな程度更に適合化する必要がある。本発明の範囲内で、層厚を適切に低減することによって、更に高い周波数を励起することもできる。
【００４２】
専ら基本モードを利用する公知の共振器は、約８ＧＨｚ迄問題なく達成するので、基本モードは抑制するが、高次のモードを励起する本発明の共振器を用いると、問題なしに１０ＧＨｚ〜１５ＧＨｚで作動する共振器が得られる。更に、特性を劣化させずに、それと同時に各層厚を更に低減することができるので、本発明を用いると、更に高い共振周波数乃至比較的高い共振周波数の共振器が可能となる。その際、そのような、いくつかの共振器は、相応に高い周波数で作動することができるフィルタ又はデュプレクサに接続することができる。
【図面の簡単な説明】
【００４３】
【図１】Ａは、公知の共振器の横断略図Ｂは、第１のポートＰ１と第２のポートＰ２との間で、共振器を作動することができる可能な回路接続図
【図２】公知の共振器のアドミッタンスの特性を示す図
【図３】本発明の第１の共振器の層構造を示す図
【図４】本発明の共振器のアドミッタンスの特性を示す図
【図５】本発明の音響ミラーの共振スペクトルを示す図
【図６】本発明の別の共振器の横断略図を示す図
【図７】この共振器でのアドミッタンスの経過特性を示す図
【図８】共振器の可能な接続回路を示す図
【図９】インダクタンスが、位相の経過特性に及ぼす作用を示す図
【図１０】第３の実施例でのアドミッタンス及び位相の経過特性を示す図
【図１１】ＣＲＦフィルタの層構造を示す図
【図１Ａ】
2008507869.tif 000003
【図１Ｂ】
2008507869.tif 000004
【図２】
2008507869.tif 000005
【図３】
2008507869.tif 000006
【図４】
2008507869.tif 000007
【図５】
2008507869.tif 000008
【図６】
2008507869.tif 000009
【図７】
2008507869.tif 000010
【図８】
2008507869.tif 000011
【図９】
2008507869.tif 000012
【図１０】
2008507869.tif 000013
【図１１】
2008507869.tif 000014
【国際調査報告】
2008507869.tif 000015
2008507869.tif 000016
2008507869.tif 000017
2008507869.tif 000018